(57)【要約】【課題】室内に設けた排気ダクトの存在を隠蔽し、意匠性の向上を図りつつ、排気ダクトへの作業を容易に行うことができるシステムキッチンを提供する。【解決手段】建築の壁面から離間させて設置されるキッチン本体と、キッチン本体の加熱調理機の上方に設置されるレンジフードと、建築の天井面よりも下方に設けられ、レンジフードから壁面に向かって延びる延在部を有する排気ダクトと、排気ダクトの下方に設置される隠蔽部材と、を備え、延在部の延びる方向と直交する横方向における隠蔽部材の幅は、横方向における延在部の幅よりも大きく、隠蔽部材は、延在部の横方向の少なくとも一方を開放する開放状態を有し、隠蔽部材の開放状態において開放された側の横方向の一方の端部から延在部の横方向の一方の端部までの長さは、隠蔽部材の延在部の延びる方向の長さよりも短いことを特徴とするシステムキッチンである。【選択図】図１
2019201991.tif 000002
【特許請求の範囲】
【請求項１】
正面及び背面を建築の壁面から離間させて設置されるキッチン本体と、
前記キッチン本体に設けられる加熱調理機の上方に設置されるレンジフードと、
前記建築の天井面よりも下方に設けられ、前記レンジフードから前記壁面に向かって水平方向に延びる延在部を有し、前記レンジフードと前記建築に設けられた排気設備とを接続する排気ダクトと、
前記水平方向に延びる板状であり、前記排気ダクトの下方に設置され、前記排気ダクトの下方からの視認を抑制する隠蔽部材と、
を備え、
前記延在部の延びる方向と直交する横方向における前記隠蔽部材の幅は、前記横方向における前記延在部の幅よりも大きく、
前記隠蔽部材は、前記延在部の前記横方向の少なくとも一方を開放する開放状態を有し、
前記隠蔽部材の前記開放状態において開放された側の前記横方向の一方の端部から前記延在部の前記横方向の一方の端部までの前記水平方向の長さは、前記隠蔽部材の前記延在部の延びる方向の長さよりも短いことを特徴とするシステムキッチン。
【請求項２】
前記排気ダクトは、前記レンジフードよりも前記壁面側に設けられ、
前記隠蔽部材は、前記壁面と前記レンジフードとの間に設けられることを特徴とする請求項１記載のシステムキッチン。
【請求項３】
前記隠蔽部材は、前記開放状態において、前記延在部の前記横方向の両方を開放することを特徴とする請求項１又は２に記載のシステムキッチン。
【請求項４】
前記隠蔽部材は、前記延在部の前記横方向の両方を常時開放していることを特徴とする請求項３記載のシステムキッチン。
【請求項５】
前記隠蔽部材は、前記横方向の幅を調整可能であることを特徴とする請求項１〜４のいずれか１つに記載のシステムキッチン。
【請求項６】
前記隠蔽部材は、前記横方向において着脱可能な複数のパネル部材を有することを特徴とする請求項５記載のシステムキッチン。
【請求項７】
前記隠蔽部材の前記横方向の一方の端部から前記延在部の前記横方向の一方の端部までの前記水平方向の長さは、前記隠蔽部材の上端から前記排気ダクトの上端までの高さよりも長いことを特徴とする請求項１〜６のいずれか１つに記載のシステムキッチン。
【請求項８】
前記隠蔽部材の上に設けられ、前記天井面に向けて光を照射する照明をさらに備えたことを特徴とする請求項１〜７のいずれか１つに記載のシステムキッチン。
【請求項９】
前記隠蔽部材の上端は、前記排気ダクトの下端と当接していないことを特徴とする請求項１〜８のいずれか１つに記載のシステムキッチン。
【発明の詳細な説明】
【技術分野】
【０００１】
本発明の態様は、一般的に、システムキッチンに関する。
【背景技術】
【０００２】
キッチン空間において、老朽化やデザインの多様性により、キッチン空間をリフォームしたいというお客様からの要望がある。キッチン空間のリフォームにおいて、加熱調理機の位置を変更した場合、加熱調理器の変更位置に合わせて、レンジフードの設置位置も同様に変更する必要がある。その際、例えば、キッチン空間を壁付け式のキッチンから対面式のキッチンに変更しようとすると、排気ダクトを建築側の排気設備からレンジフードまで通す必要がある。
【０００３】
排気ダクトの取付箇所としては、室内又は天井裏が考えられるが、排気ダクトを天井裏に通そうとすると、天井裏への施工作業が発生することにより、例えば、コード類の取り回しを考慮する必要があり、困難な作業となってしまう。また、天井の構造によっては、スペースの関係上、排気ダクトを通すことが出来ない場合がある。そこで、室内に排気ダクトを配設することが考えられる。例えば、特許文献１のように、加熱調理機などの上部に設けられたレンジフード本体から連通する排気ダクトを室内に設ける構成が知られている。
【０００４】
しかしながら、室内に排気ダクトを配設すると、室内に排気ダクトが露出してしまい、キッチン空間の使用者などの視界に排気ダクトが入ってしまう。このため、キッチン空間をリフォームしたいお客様に対して、意匠性に優れたシステムキッチンを提供することが難しくなってしまう。
【０００５】
排気ダクトに専用のダクトカバーを設けることも考えられるが、天井の一部が排気ダクトを覆う形状に膨らむことにより、排気ダクトの存在を使用者に感じさせてしまうため、必ずしも意匠性に優れるものではない。さらに、ダクトカバーを設けてしまうと、メンテナンスやレンジフードの取付位置の変更などで排気ダクトへの作業が必要となった場合に、ダクトカバーを取り外す大掛かりな作業が必要となってしまう。
【０００６】
このため、システムキッチンでは、室内に設けた排気ダクトの存在を隠蔽し、意匠性の向上を図りつつ、排気ダクトへの作業を容易に行うことができるようにすることが望まれる。
【先行技術文献】
【特許文献】
【０００７】
【特許文献１】特開平１１−３３７１４１号公報
【発明の概要】
【発明が解決しようとする課題】
【０００８】
本発明は、かかる課題の認識に基づいてなされたものであり、室内に設けた排気ダクトの存在を隠蔽し、意匠性の向上を図りつつ、排気ダクトへの作業を容易に行うことができるシステムキッチンを提供することを目的とする。
【課題を解決するための手段】
【０００９】
第１の発明は、正面及び背面を建築の壁面から離間させて設置されるキッチン本体と、前記キッチン本体に設けられる加熱調理機の上方に設置されるレンジフードと、前記建築の天井面よりも下方に設けられ、前記レンジフードから前記壁面に向かって水平方向に延びる延在部を有し、前記レンジフードと前記建築に設けられた排気設備とを接続する排気ダクトと、前記水平方向に延びる板状であり、前記排気ダクトの下方に設置され、前記排気ダクトの下方からの視認を抑制する隠蔽部材と、を備え、前記延在部の延びる方向と直交する横方向における前記隠蔽部材の幅は、前記横方向における前記延在部の幅よりも大きく、前記隠蔽部材は、前記延在部の前記横方向の少なくとも一方を開放する開放状態を有し、前記隠蔽部材の前記開放状態において開放された側の前記横方向の一方の端部から前記延在部の前記横方向の一方の端部までの前記水平方向の長さは、前記隠蔽部材の前記延在部の延びる方向の長さよりも短いことを特徴とするシステムキッチンである。
【００１０】
このシステムキッチンによれば、室内に排気ダクトを設けることにより、例えば、レンジフードの設置位置を変更する際に、天井裏に配設されたコードなどを考慮する必要が無く、室内からダイレクトにアプローチすることが可能となり、排気ダクトの設置位置の変更作業を容易にすることができる。また、排気ダクトの延在部の横方向の少なくとも一方を開放する開放状態を有し、延在部の横方向の幅よりも大きい隠蔽部材を設けることにより、キッチンの使用者などに対して排気ダクトを隠蔽するだけでなく、排気ダクトの存在を感じないようにさせることができる。そして、隠蔽部材の開放状態において開放された側の横方向の一方の端部から延在部の横方向の一方の端部までの水平方向の長さを、隠蔽部材の延在部の延びる方向の長さよりも短くすることにより、室内から排気ダクトへのアプローチが容易となり、排気ダクトへの作業性を向上させることができる。従って、室内に設けた排気ダクトの存在を隠蔽し、意匠性の向上を図りつつ、排気ダクトへの作業を容易に行うことができるシステムキッチンを提供することができる。
【００１１】
第２の発明は、第１の発明において、前記排気ダクトは、前記レンジフードよりも前記壁面側に設けられ、前記隠蔽部材は、前記壁面と前記レンジフードとの間に設けられることを特徴とするシステムキッチンである。
【００１２】
このシステムキッチンによれば、室内から排気ダクトへのアプローチをより容易にし、排気ダクトへの作業性をより向上させることができる。
【００１３】
第３の発明は、第１又は第２の発明において、前記隠蔽部材は、前記開放状態において、前記延在部の前記横方向の両方を開放することを特徴とするシステムキッチンである。
【００１４】
このシステムキッチンによれば、排気ダクトへのアプローチが隠蔽部材の横方向のどちらからでも可能となり、室内において排気ダクトが取り付けられる設置位置によらず、室内から排気ダクトへのアプローチをより容易にし、排気ダクトへの作業性をより向上させることができる。
【００１５】
第４の発明は、第３の発明において、前記隠蔽部材は、前記延在部の前記横方向の両方を常時開放していることを特徴とするシステムキッチンである。
【００１６】
このシステムキッチンによれば、室内から排気ダクトへのアプローチをより容易にし、排気ダクトへの作業性をより向上させることができる。また、延在部の横方向の両方を常時開放することにより、隠蔽部材を設けた場合にも、キッチンの使用者などに対して圧迫感を与えてしまうことを抑制することができる。
【００１７】
第５の発明は、第１〜第４のいずれか１つの発明において、前記隠蔽部材は、前記横方向の幅を調整可能であることを特徴とするシステムキッチンである。
【００１８】
このシステムキッチンによれば、隠蔽部材の横方向の幅を調整可能とすることにより、排気ダクトを隠蔽するために、横方向における隠蔽部材の幅を大きくしたとしても、例えば、排気ダクトへの作業の際に、隠蔽部材の幅を短くすることで、室内から排気ダクトへのアプローチをより容易とすることができる。従って、排気ダクトへの作業がより容易となり、リフォームなどをし易くすることができる。
【００１９】
第６の発明は、第５の発明において、前記隠蔽部材は、前記横方向において着脱可能な複数のパネル部材を有することを特徴とするシステムキッチンである。
【００２０】
このシステムキッチンによれば、隠蔽部材の横方向の幅の調整をより容易に行うことができる。例えば、レンジフードや排気ダクトの設置位置の変更などにともなって隠蔽部材の設置位置を変更する場合などにも、隠蔽部材を分割することにより、重量を軽くすることが可能となり、隠蔽部材の設置位置の変更を容易に行うことができる。また、例えば、レンジフードの周囲を囲む形で隠蔽部材を設ける際に、レンジフードの外周サイズに合わせて隠蔽部材を切り抜くなどの手間を抑制することができる。従って、サイズの異なるレンジフードなどに対応し易くし、リフォームなどをより容易に行うことができる。
【００２１】
第７の発明は、第１〜第６のいずれか１つの発明において、前記隠蔽部材の前記横方向の一方の端部から前記延在部の前記横方向の一方の端部までの前記水平方向の長さは、前記隠蔽部材の上端から前記排気ダクトの上端までの高さよりも長いことを特徴とするシステムキッチンである。
【００２２】
このシステムキッチンによれば、延在部の横方向の一方を開放したとしても、使用者などが天井に視線を移した際に、排気ダクトが視認されてしまうことを、より確実に抑制することができる。
【００２３】
第８の発明は、第１〜第７のいずれか１つの発明において、前記隠蔽部材の上に設けられ、前記天井面に向けて光を照射する照明をさらに備えたことを特徴とするシステムキッチンである。
【００２４】
このシステムキッチンによれば、間接照明を行うことができ、システムキッチンの意匠性をより向上させることができる。例えば、隠蔽部材を設けた場合にも、隠蔽部材の上方が暗くなってしまうことを抑制することができる。
【００２５】
第９の発明は、第１〜第８のいずれか１つの発明において、前記隠蔽部材の上端は、前記排気ダクトの下端と当接していないことを特徴とするシステムキッチンである。
【００２６】
このシステムキッチンによれば、排気ダクトの振動が隠蔽部材に伝わって異音が発生したり、排気ダクトの熱が隠蔽部材に伝わって隠蔽部材が熱くなってしまうことなどを抑制することができる。また、例えば、隠蔽部材に照明を設けた際などに、排気ダクトと隠蔽部材との間の空間に配線を通すことが可能となり、照明の配線作業などを容易にすることができる。
【発明の効果】
【００２７】
本発明の態様によれば、室内に設けた排気ダクトの存在を隠蔽し、意匠性の向上を図りつつ、排気ダクトへの作業を容易に行うことができるシステムキッチンが提供される。
【図面の簡単な説明】
【００２８】
【図１】実施形態に係るシステムキッチンを模式的に表す斜視図である。
【図２】実施形態に係るシステムキッチンを模式的に表す側面図である。
【図３】実施形態に係るシステムキッチンを模式的に表す平面図である。
【図４】実施形態に係る排気ダクト及び隠蔽部材を模式的に表す断面図である。
【図５】実施形態に係る隠蔽部材の変形例を模式的に表す断面図である。
【図６】図６（ａ）及び図６（ｂ）は、実施形態に係る隠蔽部材の変形例を模式的に表す断面図である。
【図７】実施形態に係る隠蔽部材の変形例を模式的に表す断面図である。
【図８】図８（ａ）及び図８（ｂ）は、実施形態に係る隠蔽部材の変形例を模式的に表す平面図及び側面図である。
【図９】実施形態に係るシステムキッチンの変形例を模式的に表す断面図である。
【図１０】実施形態に係るシステムキッチンの変形例を模式的に表す断面図である。
【図１１】実施形態に係るシステムキッチンの変形例を模式的に表す平面図である。
【発明を実施するための形態】
【００２９】
以下、本発明の実施の形態について図面を参照しつつ説明する。なお、各図面中、同様の構成要素には同一の符号を付して詳細な説明は適宜省略する。  
図１は、実施形態に係るシステムキッチンを模式的に表す斜視図である。  
図２は、実施形態に係るシステムキッチンを模式的に表す側面図である。  
図３は、実施形態に係るシステムキッチンを模式的に表す平面図である。  
図１〜図３に表したように、システムキッチン１０は、キッチン本体１２と、レンジフード１４と、排気ダクト１６と、隠蔽部材１８と、を備える。システムキッチン１０は、建築２のキッチン空間ＫＳに設置して使用される。
【００３０】
キッチン本体１２は、例えば、左右方向に延びた直方体状である。キッチン本体１２は、正面１２ａ及び背面１２ｂを建築２の壁面ＷＳから離間させて設置される。キッチン本体１２は、例えば、キッチン空間ＫＳ及びリビング（ダイニング）と対面して設置され、リビング側を向いた状態で炊事などを行えるようにする、いわゆる対面式のキッチンである。
【００３１】
以下、本願明細書においては、キッチン空間ＫＳ側に立ち、リビング側を向くようにキッチン本体１２と対面する使用者からみた上方、下方、前方、後方、右側方、及び左側方を、それぞれ「上方」、「下方」、「前方」、「後方」、「右側方」、及び「左側方」とする。前方は、換言すれば、キッチン本体１２のリビング側を向く方向である。キッチン本体１２は、正面１２ａを後方の壁面ＷＳよりも前方に離間させて設置される。
【００３２】
キッチン本体１２は、左右の両側面も建築２の壁面ＷＳから離間させたアイランド型のキッチンである。キッチン本体１２は、一方の側面を建築２の側方の壁面に当接させたペニンシュラ型のキッチンでもよい。また、キッチン本体１２は、上面視Ｌ字状のキッチンでもよい。この場合、キッチン本体１２の正面側の一部（Ｌ字状の部分の後端部）を後方の壁面ＷＳに当接させてもよい。また、キッチン本体１２は、背面１２ｂの一部を建築２の袖壁などに当接させて設置してもよい。キッチン本体１２は、正面１２ａ及び背面１２ｂの少なくとも一部を建築２の壁面ＷＳから離間させて設置されていればよい。
【００３３】
キッチン本体１２には、加熱調理機２０が設けられる。加熱調理機２０は、例えば、ガスコンロ、電気コンロ、電磁調理機などである。加熱調理機２０は、キッチン本体１２に一体的に設けてもよいし、キッチン本体１２と別体的に設けてもよい。換言すれば、キッチン本体１２は、加熱調理機２０を備えた構成でもよいし、加熱調理機２０を設置するための設置スペースを有し、加熱調理機２０を設置可能とする構成でもよい。
【００３４】
キッチン本体１２は、例えば、カウンタ２２と、シンク２４と、水栓２６と、を有する。カウンタ２２は、キッチン本体１２の上面を形成する。カウンタ２２には、例えば、ステンレス、人工大理石、又は人造大理石などが用いられる。シンク２４は、カウンタ２２の上面よりも下方に凹む。カウンタ２２は、例えば、加熱調理機２０とシンク２４との間に調理などを行うための作業スペースを設ける。
【００３５】
水栓２６は、キッチン本体１２の内部において給水管や給湯管などと接続される。水栓２６は、シンク２４の周囲に設けられ、シンク２４内に湯水を吐水する。シンク２４は、キッチン本体１２の内部において排水管と接続され、シンク２４内に吐水された湯水を排水管を介して外部に排出する。シンク２４は、カウンタ２２と一体に形成してもよいし、カウンタ２２とは別に形成した後、接着などを介してカウンタ２２に取り付けてもよい。
【００３６】
なお、キッチン本体１２において、カウンタ２２、シンク２４、及び水栓２６は、必要に応じて設けられ、省略可能である。キッチン本体１２は、少なくとも加熱調理機２０又は加熱調理機２０の設置スペースを有していればよい。
【００３７】
レンジフード１４は、キッチン本体１２に設けられる加熱調理機２０の上方に設置される。レンジフード１４は、建築２の天井に直接的に取り付けられるか、あるいは吊りボルトなどを介して建築２の天井に取り付けられることにより、加熱調理機２０の上方に設置される。
【００３８】
排気ダクト１６は、建築２の天井面ＣＳよりも下方に設けられ、レンジフード１４から壁面ＷＳに向かって水平方向に延びる延在部１６ａを有し、レンジフード１４と建築２に設けられた排気設備３０とを接続する。レンジフード１４、排気ダクト１６、及び排気設備３０は、加熱調理機２０の使用にともなって生じる水蒸気、煙、臭気などを建築２の外部に排出可能とする。排気ダクト１６は、断面略円形の管状である。排気ダクト１６の形状は、断面略矩形の管状などでもよい。排気ダクト１６の形状は、レンジフード１４と排気設備３０とを接続し、煙などを排出可能とする任意の形状でよい。
【００３９】
排気ダクト１６は、支持部材３２を介して建築２の天井に取り付けられることにより、天井面ＣＳの下方に設けられる。支持部材３２は、排気ダクト１６を着脱可能に建築２の天井に取り付ける。支持部材３２には、例えば、吊りボルトなどが用いられる。支持部材３２は、例えば、複数設けられる。また、排気ダクト１６は、レンジフード１４及び排気設備３０と着脱可能に接続される。このように、排気ダクト１６は、レンジフード１４、排気設備３０、及び建築２の天井に対して着脱可能に設けられる。
【００４０】
但し、排気ダクト１６は、レンジフード１４、排気設備３０、及び建築２の天井に固定されていてもよい。また、例えば、レンジフード１４と排気設備３０との接続によって排気ダクト１６を保持できる場合には、支持部材３２は、不要である。排気ダクト１６は、必ずしも建築２の天井に取り付けられていなくてもよい。
【００４１】
排気設備３０は、換気扇などの換気機能を有する機器でもよいし、建築２の外部と連通する換気口などでもよい。排気設備３０が換気機能を有しない場合には、レンジフード１４にファンなどの換気機能が設けられる。このように、換気機能は、レンジフード１４及び排気設備３０の少なくとも一方に設けられていればよい。
【００４２】
システムキッチン１０は、例えば、壁付け式のキッチンから対面式のキッチンへのリフォームの際などに、キッチン空間ＫＳに設置される。この場合、排気設備３０は、キッチン空間ＫＳ内の元のキッチンの設置位置に対応して壁面ＷＳや天井面ＣＳなどに設けられている。排気ダクト１６は、壁付け式のキッチンから対面式のキッチンへの変更にともなうレンジフード１４の設置位置の変更に合わせて、レンジフード１４と排気設備３０とを接続する。
【００４３】
この例において、排気設備３０は、後方の壁面ＷＳに設けられている。このため、排気ダクト１６の延在部１６ａは、レンジフード１４から後方の壁面ＷＳに向かって水平方向に延びる。また、この例において、排気ダクト１６は、延在部１６ａの後端から壁面ＷＳに沿って左右方向に延びる別の延在部１６ｂをさらに有する。これにより、レンジフード１４と排気設備３０との左右方向の位置が異なる場合でも、レンジフード１４と排気設備３０とを排気ダクト１６によって適切に接続することができる。
【００４４】
排気ダクト１６は、例えば、上下方向に延びる別の延在部をさらに有してもよい。また、例えば、延在部１６ａを傾斜させることによって、レンジフード１４と排気設備３０との左右方向や上下方向の位置を調整してもよい。延在部１６ａの延びる方向は、少なくとも水平方向の成分を有する任意の方向でよい。排気設備３０は、後方の壁面ＷＳに限ることなく、側方の壁面ＷＳや天井面ＣＳなどに設けられていてもよい。例えば、排気設備３０が、側方の壁面ＷＳに設けられている場合には、排気ダクト１６をレンジフード１４から側方の壁面ＷＳに向かって水平方向の左右に延ばしてもよい。
【００４５】
隠蔽部材１８は、水平方向に延びる板状であり、排気ダクト１６の下方に設置され、排気ダクト１６の下方からの視認を抑制する。隠蔽部材１８は、少なくとも排気ダクト１６の延在部１６ａの下方に設けられる。この例において、隠蔽部材１８は、排気ダクト１６の延在部１６ｂの一部を下方に露出させている。このように、隠蔽部材１８は、必ずしも排気ダクト１６の全体の下方に設けられていなくてもよい。隠蔽部材１８は、少なくともレンジフード１４から壁面ＷＳに向かって延びる延在部１６ａの下方に設けられ、延在部１６ａの下方からの視認を抑制可能に構成されていればよい。但し、隠蔽部材１８は、排気ダクト１６全体の下方からの視認を抑制可能に構成されていることが、より好ましい。換言すれば、隠蔽部材１８は、排気ダクト１６全体の下方に設けられていることが好ましい。
【００４６】
隠蔽部材１８は、支持部材３４を介して建築２の天井に取り付けられることにより、排気ダクト１６の下方に設置される。支持部材３４は、隠蔽部材１８を着脱可能に建築２の天井に取り付ける。支持部材３４には、例えば、吊りボルトなどが用いられる。支持部材３４は、例えば、複数設けられる。支持部材３４は、隠蔽部材１８を排気ダクト１６に取り付けてもよい。支持部材３４は、隠蔽部材１８を建築２の天井及び排気ダクト１６の少なくとも一方に着脱可能に取り付ける。但し、隠蔽部材１８は、建築２の天井及び排気ダクト１６の少なくとも一方に固定されていてもよい。
【００４７】
図３に表したように、延在部１６ａの延びる方向と直交する横方向における隠蔽部材１８の幅Ｗ１は、横方向における延在部１６ａの幅Ｗ２よりも大きい。隠蔽部材１８は、延在部１６ａの横方向の少なくとも一方を開放する開放状態を有する。隠蔽部材１８は、例えば、開放状態において、延在部１６ａの横方向の両方を開放する。隠蔽部材１８は、例えば、延在部１６ａの横方向の両方を常時開放している。
【００４８】
隠蔽部材１８の開放状態において開放された側の横方向の一方の端部１８ａから延在部１６ａの横方向の一方の端部までの水平方向の長さＬ１１は、隠蔽部材１８の延在部１６ａの延びる方向の長さＬ２１よりも短い。また、両方を常時開放している隠蔽部材１８では、隠蔽部材１８の開放状態において開放された側の横方向の他方の端部１８ｂから延在部１６ａの横方向の他方の端部までの水平方向の長さＬ１２も、隠蔽部材１８の延在部１６ａの延びる方向の長さＬ２１よりも短い。
【００４９】
隠蔽部材１８の延在部１６ａの延びる方向の長さＬ２１は、例えば、１３００ｍｍ程度（例えば９００ｍｍ以上２０００ｍｍ以下）である。従って、端部１８ａ、１８ｂから延在部１６ａまでの長さＬ１１、Ｌ１２を、隠蔽部材１８の長さＬ２１よりも短くすることにより、隠蔽部材１８を取り付けた状態において、室内から排気ダクト１６にアプローチし易くすることができる。
【００５０】
また、成人の腕の長さの平均は、７００ｍｍ程度である。従って、長さＬ１１、Ｌ１２は、例えば、７００ｍｍ以下とすることがより好ましい。これにより、隠蔽部材１８を取り付けた状態においても、特殊な工具などを用いることなく、排気ダクト１６に対して横方向から直接的に作業を行うことができる。例えば、作業者などが排気ダクト１６を直接的に掴んで作業を行うことができる。
【００５１】
排気ダクト１６は、レンジフード１４よりも壁面ＷＳ側に設けられる。隠蔽部材１８は、壁面ＷＳとレンジフード１４との間に設けられる。排気ダクト１６は、例えば、レンジフード１４よりも後方の壁面ＷＳ側に設けられる。隠蔽部材１８は、例えば、後方の壁面ＷＳとレンジフード１４との間に設けられる。換言すれば、排気ダクト１６及び隠蔽部材１８は、レンジフード１４よりも前方に延びない。
【００５２】
レンジフード１４は、上下方向に延びる筒状のフード本体１４ａと、フード本体１４ａの下端部から水平方向の外側に向かって延びる突出部１４ｂと、を有する。突出部１４ｂは、例えば、フード本体１４ａの下端部の全周に設けられる。ここで、フード本体１４ａの下端部とは、例えば、フード本体１４ａの下端とフード本体１４ａの上下方向の中央との間の部分である。
【００５３】
隠蔽部材１８は、排気ダクト１６の下方、かつレンジフード１４の下端よりも上方に配置される。隠蔽部材１８は、突出部１４ｂよりも上方に位置する。隠蔽部材１８の前端１８ｃは、フード本体１４ａよりも後方に位置する。すなわち、隠蔽部材１８の前端１８ｃは、フード本体１４ａに接しない。また、隠蔽部材１８の前端１８ｃは、突出部１４ｂの上方に位置する。これにより、隠蔽部材１８の前端１８ｃをフード本体１４ａから離間させた場合にも、延在部１６ａの一部（レンジフード１４と排気ダクト１６との接合部）が下方に露出してしまうことを、突出部１４ｂによって抑制することができる。例えば、突出部１４ｂと隠蔽部材１８とによって、延在部１６ａ全体の下方を覆うことができる。
【００５４】
図４は、実施形態に係る排気ダクト及び隠蔽部材を模式的に表す断面図である。  
図４に表したように、隠蔽部材１８の横方向の一方の端部１８ａから延在部１６ａの横方向の一方の端部までの水平方向の長さＬ１１は、隠蔽部材１８の上端から排気ダクト１６の上端までの高さＨ１よりも長い。同様に、隠蔽部材１８の横方向の他方の端部１８ｂから延在部１６ａの横方向の他方の端部までの水平方向の長さＬ１２は、隠蔽部材１８の上端から排気ダクト１６の上端までの高さＨ１よりも長い。
【００５５】
隠蔽部材１８の上端は、排気ダクト１６の下端と当接していない。換言すれば、隠蔽部材１８の上端は、排気ダクト１６の下端よりも下方に位置する。
【００５６】
以上、説明したように、本実施形態に係るシステムキッチン１０では、室内に排気ダクト１６を設けることにより、例えば、レンジフード１４の設置位置を変更する際に、天井裏に配設されたコードなどを考慮する必要が無く、室内からダイレクトに排気ダクト１６にアプローチすることが可能となり、排気ダクト１６の設置位置の変更作業を容易にすることができる。また、排気ダクト１６の延在部１６ａの横方向の少なくとも一方を開放する開放状態を有し、延在部１６ａの横方向の幅Ｗ２よりも大きい隠蔽部材１８を設けることにより、システムキッチン１０の使用者などに対して排気ダクト１６を隠蔽するだけでなく、排気ダクト１６の存在を感じないようにさせることができる。そして、隠蔽部材１８の開放状態において開放された側の横方向の一方の端部から延在部１６ａの横方向の一方の端部までの水平方向の長さＬ１１、Ｌ１２を、隠蔽部材１８の延在部１６ａの延びる方向の長さＬ２１よりも短くすることにより、室内から排気ダクト１６へのアプローチが容易となり、排気ダクト１６への作業性を向上させることができる。従って、室内に設けた排気ダクト１６の存在を隠蔽し、意匠性の向上を図りつつ、排気ダクト１６への作業を容易に行うことができるシステムキッチン１０を提供することができる。
【００５７】
また、システムキッチン１０では、排気ダクト１６をレンジフード１４よりも壁面ＷＳ側に設け、隠蔽部材１８を壁面ＷＳとレンジフード１４との間に設けることにより、室内から排気ダクト１６へのアプローチをより容易にし、排気ダクト１６への作業性をより向上させることができる。
【００５８】
また、システムキッチン１０では、隠蔽部材１８が、延在部１６ａの横方向の両方を開放することにより、排気ダクト１６へのアプローチが隠蔽部材１８の横方向のどちらからでも可能となり、室内において排気ダクト１６が取り付けられる設置位置によらず、室内から排気ダクト１６へのアプローチをより容易にし、排気ダクト１６への作業性をより向上させることができる。さらに、隠蔽部材１８が、延在部１６ａの横方向の両方を常時開放することにより、室内から排気ダクト１６へのアプローチをより容易にし、排気ダクト１６への作業性をより向上させることができる。また、延在部１６ａの横方向の両方を常時開放することにより、隠蔽部材１８を設けた場合にも、システムキッチン１０の使用者などに対して圧迫感を与えてしまうことを抑制することができる。
【００５９】
また、システムキッチン１０では、隠蔽部材１８の横方向の一方の端部から延在部１６ａの横方向の一方の端部までの水平方向の長さＬ１１、Ｌ１２が、隠蔽部材１８の上端から排気ダクト１６の上端までの高さＨ１よりも長い。これにより、延在部１６ａの横方向の一方を開放したとしても、使用者などが天井に視線を移した際に、排気ダクト１６が視認されてしまうことを、より確実に抑制することができる。
【００６０】
排気ダクト１６の高さ（例えば直径）は、例えば、１５０ｍｍ以上３００ｍｍ以下程度である。排気ダクト１６と隠蔽部材１８との間に設けられる隙間は、排気ダクト１６と隠蔽部材１８とが直接的に接しない程度に設定されていればよい。従って、高さＨ１は、例えば、１５０ｍｍ以上３００ｍｍ以下程度である。長さＬ１１、Ｌ１２は、例えば、３００ｍｍ以上に設定する。これにより、延在部１６ａの横方向の一方を開放した場合の排気ダクト１６の視認を適切に抑制することができる。また、前述のように、長さＬ１１、Ｌ１２は、長さＬ２１よりも短く設定される。長さＬ１１、Ｌ１２は、例えば、３００ｍｍ以上７００ｍｍ以下に設定される。これにより、排気ダクト１６の視認を抑制しつつ、排気ダクト１６への直接的な作業を可能とし、意匠性及び作業性をより向上させることができる。
【００６１】
また、システムキッチン１０では、隠蔽部材１８の上端が、排気ダクト１６の下端と当接していない。これにより、排気ダクト１６の振動が隠蔽部材１８に伝わって異音が発生したり、排気ダクト１６の熱が隠蔽部材１８に伝わって隠蔽部材１８が熱くなってしまうことなどを抑制することができる。また、システムキッチン１０では、隠蔽部材１８の前端１８ｃが、レンジフード１４（フード本体１４ａ）に接しない。これにより、振動や熱などが隠蔽部材１８に伝わってしまうことを、より確実に抑制することができる。
【００６２】
図５は、実施形態に係る隠蔽部材の変形例を模式的に表す断面図である。  
なお、上記実施形態と機能・構成上実質的に同じものについては、同符号を付し、詳細な説明は省略する。  
図５に表したように、この例では、隠蔽部材５０が、本体部５１と、一対の立壁部５２、５３と、を有する。本体部５１は、水平方向に延びる板状である。本体部５１の構成は、上記実施形態で説明した隠蔽部材１８の構成と実質的に同じであるから、詳細な説明は省略する。
【００６３】
立壁部５２は、本体部５１の横方向の一方の端部５１ａに設けられる。立壁部５２は、本体部５１の横方向の一方の端部５１ａから上方に向かって延び、排気ダクト１６の横方向の一方の少なくとも一部を覆う。立壁部５２は、例えば、延在部１６ａの横方向の一方の少なくとも一部を覆う。
【００６４】
立壁部５３は、本体部５１の横方向の他方の端部５１ｂに設けられる。立壁部５３は、本体部５１の横方向の他方の端部５１ｂから上方に向かって延び、排気ダクト１６の横方向の他方の少なくとも一部を覆う。立壁部５３は、例えば、延在部１６ａの横方向の他方の少なくとも一部を覆う。
【００６５】
立壁部５２、５３は、例えば、ネジ止めなどにより、本体部５１の端部５１ａ、５１ｂに着脱可能に取り付けられる。隠蔽部材５０では、立壁部５２、５３を取り外すことによって、延在部１６ａの横方向の少なくとも一方を開放する開放状態となる。そして、隠蔽部材５０では、立壁部５２、５３を取り付けることにより、延在部１６ａの横方向の少なくとも一部をさらに覆う隠蔽状態とすることができる。
【００６６】
このように、隠蔽部材５０は、延在部１６ａの横方向を常時開放する構成に限ることなく、延在部１６ａの横方向の少なくとも一部を覆える構成としてもよい。立壁部５２、５４を設け、延在部１６ａの横方向の少なくとも一部を覆えるようにすることにより、例えば、排気ダクト１６の下方及び側方からの視認を、より確実に抑制することができる。
【００６７】
なお、立壁部５２、５３は、本体部５１に着脱可能に取り付けられる構成に限ることなく、例えば、ヒンジなどによって本体部５１に回動可能に取り付けたり、上下方向にスライド移動可能に本体部５１に取り付けたりすることにより、開放状態と隠蔽状態とに移動可能な構成としてもよい。
【００６８】
図６（ａ）及び図６（ｂ）は、実施形態に係る隠蔽部材の変形例を模式的に表す断面図である。  
図６（ａ）及び図６（ｂ）に表したように、この例では、隠蔽部材６０が、本体部６１と、一対の可動部６２、６３と、を有する。本体部６１は、水平方向に延びる板状である。本体部６１の構成は、上記実施形態で説明した隠蔽部材１８の構成と実質的に同じであるから、詳細な説明は省略する。
【００６９】
可動部６２、６３は、本体部６１に横方向に移動可能に取り付けられている。これにより、隠蔽部材６０では、横方向の幅Ｗ１を調整可能である。このように、隠蔽部材６０の横方向の幅Ｗ１を調整可能とすることにより、排気ダクト１６を隠蔽するために、横方向における隠蔽部材６０の幅Ｗ１を大きくしたとしても、例えば、排気ダクト１６への作業の際に、隠蔽部材６０の幅Ｗ１を短くすることで、室内から排気ダクト１６へのアプローチをより容易とすることができる。従って、排気ダクト１６への作業がより容易となり、リフォームなどをし易くすることができる。
【００７０】
なお、隠蔽部材６０の幅Ｗ１を調整可能とした場合には、例えば、少なくとも隠蔽部材６０の幅Ｗ１を最も長くした状態において、横方向における隠蔽部材６０の幅Ｗ１が、横方向における延在部１６ａの幅Ｗ２よりも大きければよい。そして、少なくとも隠蔽部材６０の幅Ｗ１を最も短くした状態において、隠蔽部材６０の開放状態において開放された側の横方向の一方の端部６０ａ、６０ｂから延在部１６ａの横方向の一方の端部までの水平方向の長さＬ１１、Ｌ１２が、隠蔽部材６０の延在部１６ａの延びる方向の長さＬ２１よりも短ければよい。
【００７１】
図７は、実施形態に係る隠蔽部材の変形例を模式的に表す断面図である。  
図７に表したように、この例では、隠蔽部材７０が、横方向において着脱可能な複数のパネル部材７２を有する。パネル部材７２は、例えば、延在部１６ａと同じ方向に延びる板状である。この例において、パネル部材７２は、前後方向に延びる板状である。パネル部材７２は、横方向の一端側に設けられた第１嵌合部７２ａと、横方向の他端側に設けられた第２嵌合部７２ｂと、を有する。第１嵌合部７２ａは、隣接する別のパネル部材７２の第２嵌合部７２ｂと嵌合する。このように、複数のパネル部材７２は、第１嵌合部７２ａと第２嵌合部７２ｂとの嵌合により、互いに横方向に接続される。すなわち、複数のパネル部材７２は、第１嵌合部７２ａと第２嵌合部７２ｂとの嵌合により、横方向において着脱可能とすることができる。
【００７２】
隠蔽部材７０では、横方向に接続するパネル部材７２の数により、横方向の幅Ｗ１を調整することができる。これにより、隠蔽部材７０では、横方向の幅Ｗ１の調整をより容易に行うことができる。例えば、レンジフード１４や排気ダクト１６の設置位置の変更などにともなって隠蔽部材７０の設置位置を変更する場合などにも、隠蔽部材７０を分割することにより、重量を軽くすることが可能となり、隠蔽部材７０の設置位置の変更を容易に行うことができる。なお、図７では、４つのパネル部材７２を図示している。隠蔽部材７０に設けられるパネル部材７２の数は、任意の数でよい。
【００７３】
図８（ａ）及び図８（ｂ）は、実施形態に係る隠蔽部材の変形例を模式的に表す平面図及び側面図である。  
図８（ａ）及び図８（ｂ）に表したように、隠蔽部材７０は、レンジフード１４の周囲を囲むように配置してもよい。換言すれば、隠蔽部材７０は、レンジフード１４よりも前方まで延びてもよい。隠蔽部材７０の前端７０ｃは、レンジフード１４を超えて、レンジフード１４よりも前方に位置してもよい。
【００７４】
レンジフード１４の周囲を囲むように隠蔽部材を配置する際に、例えば、１枚の板状の隠蔽部材１８などでは、レンジフード１４の位置に合わせて隠蔽部材１８に開口を形成しなければならず、開口の形成に手間がかかってしまう。また、レンジフード１４や隠蔽部材１８の取り付けが煩雑になり、施工性を低下させてしまう恐れもある。
【００７５】
これに対して、複数のパネル部材７２を有する隠蔽部材７０では、パネル部材７２の長さの調整のみで、レンジフード１４を通すための開口を形成することができ、開口の形成や開口の位置調整に係る手間を抑制することができる。このように、隠蔽部材７０では、レンジフード１４の周囲を囲む形で隠蔽部材７０を設ける際に、レンジフード１４の外周サイズに合わせて隠蔽部材７０を切り抜くなどの手間を抑制することができる。従って、サイズの異なるレンジフード１４などに対応し易くし、リフォームなどをより容易に行うことができる。
【００７６】
図９は、実施形態に係るシステムキッチンの変形例を模式的に表す断面図である。  
図９に表したように、この例において、システムキッチン１０ａは、照明８０をさらに備える。照明８０は、隠蔽部材１８の上に設けられ、天井面ＣＳに向けて光を照射する。照明８０は、例えば、隠蔽部材１８の上に複数設けられる。但し、照明８０の数は、任意の数でよい。照明８０の数は、１つでもよい。
【００７７】
このように、システムキッチン１０ａでは、天井面ＣＳに向けて光を照射する照明８０を設けることにより、間接照明を行うことができ、システムキッチン１０ａの意匠性をより向上させることができる。例えば、隠蔽部材１８を設けた場合にも、隠蔽部材１８の上方が暗くなってしまうことを抑制することができる。
【００７８】
また、システムキッチン１０ａでは、隠蔽部材１８の上端が、排気ダクト１６の下端と当接していない。これにより、隠蔽部材１８に照明８０を設けた際に、排気ダクト１６と隠蔽部材１８との間の空間に配線を通すことが可能となり、照明８０の配線作業などを容易にすることができる。
【００７９】
図１０は、実施形態に係るシステムキッチンの変形例を模式的に表す断面図である。  
図１０に表したように、この例において、システムキッチン１０ｂは、照明８２をさらに備える。照明８２は、隠蔽部材１８に下方を向けて設けられ、隠蔽部材１８の下方に向けて光を照射する。照明８２は、いわゆるダウンライトである。照明８２は、例えば、隠蔽部材１８に複数設けられる。照明８２の数は、任意の数でよい。
【００８０】
このように、システムキッチン１０ｂは、下方を照らす照明８２を備えてもよい。これにより、隠蔽部材１８の下方の空間が暗くなってしまうことを抑制することができる。照明８２は、例えば、加熱調理機２０を照らすスポットライトとして用いてもよい。システムキッチン１０ｂは、天井面ＣＳを照らす照明８０と、下方を照らす照明８２と、を備えてもよい。
【００８１】
図１１は、実施形態に係るシステムキッチンの変形例を模式的に表す平面図である。  
図１１に表したように、システムキッチン１０ｃでは、建築２の側方の壁面ＷＳ２が、キッチン本体１２の側端に近接しており、延在部１６ａの横方向の他方、及び隠蔽部材１８の横方向の他方の端部１８ｂが、建築２の側方の壁面ＷＳ２によって覆われている。
【００８２】
このように、隠蔽部材１８は、延在部１６ａの横方向の両方を開放する構成に限ることなく、延在部１６ａの横方向の一方のみを開放する構成でもよい。隠蔽部材１８を取り付けた状態において、延在部１６ａの横方向の他方は、建築２や棚などの他の部材などで覆われていてもよい。隠蔽部材１８は、延在部１６ａの横方向の少なくとも一方を開放する任意の構成でよい。
【００８３】
なお、延在部１６ａの横方向の他方が開放されていない場合には、隠蔽部材１８の横方向の他方の端部１８ｂから延在部１６ａの横方向の他方の端部までの水平方向の長さＬ１２は、隠蔽部材１８の延在部１６ａの延びる方向の長さＬ２１より長くてもよい。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１０、１０ａ〜１０ｃなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
１０、１０ａ〜１０ｃ システムキッチン、  １２ キッチン本体、  １２ａ 正面、  １２ｂ 背面、  １４ レンジフード、  １４ａ フード本体、  １４ｂ 突出部、  １６ 排気ダクト、  １６ａ、１６ｂ 延在部、  １８ 隠蔽部材、  １８ａ、１８ｂ 端部、  １８ｃ 前端、  ２０ 加熱調理機、  ２２ カウンタ、  ２４ シンク、  ２６ 水栓、  ３０ 排気設備、  ３２、３４ 支持部材、  ５０ 隠蔽部材、  ５１ 本体部、  ５１ａ、５１ｂ 端部、  ５２、５３ 立壁部、  ６０ 隠蔽部材、  ６０ａ、６０ｂ 端部、  ６１ 本体部、  ６２、６３ 可動部、  ７０ 隠蔽部材、  ７０ｃ 前端、  ７２ パネル部材、  ７２ａ、７２ｂ 嵌合部、  ８０、８２ 照明
【図１】
2019201991.tif 000003
【図２】
2019201991.tif 000004
【図３】
2019201991.tif 000005
【図４】
2019201991.tif 000006
【図５】
2019201991.tif 000007
【図６】
2019201991.tif 000008
【図７】
2019201991.tif 000009
【図８】
2019201991.tif 000010
【図９】
2019201991.tif 000011
【図１０】
2019201991.tif 000012
【図１１】
2019201991.tif 000013